(57)【特許請求の範囲】
【請求項１】
シャーシと、
上記シャーシ上に配設され、記録ディスクの中心部のチャッキング孔の周囲部が載置されるテーブル部、このテーブル部上に設けられ該チャッキング孔に嵌合する嵌合突起部及びこの嵌合突起部に内蔵されたマグネットを有し、スピンドルモータにより回転操作されるディスクテーブルと、
上記シャーシの一側端近傍部により一側端側を回動可能に支持され、該シャーシの上面部に対して接離可能となされた蓋体と、
上記蓋体の下面部に回転可能に支持され、上記ディスクテーブルに相対向して配設されたチャッキングプレートと、
上記蓋体により一側端側を回動可能に支持されて上記シャーシと上記チャッキングプレートとの間に介在されて配設され、上記記録ディスクが載置されるディスクリフト板と、
上記蓋体の上記シャーシに対する回動角度に応じて、上記ディスクリフト板の該蓋体に対する回動角度を規定するリンク機構とを備え、
上記リンク機構は、上記蓋体が上記シャーシより離間した開蓋状態であるときには、上記ディスクリフト板を上記嵌合突起部の上端部よりも該シャーシから離間した位置においてこのシャーシに平行な状態に保持することにより、このディスクリフト板上に載置された記録ディスクを上記ディスクテーブルより離間させ、
上記蓋体が上記シャーシに近接する方向に回動されたときには、上記ディスクリフト板を該シャーシに平行な状態を保持したまま該シャーシに接近させることにより、該記録ディスクのチャッキング孔に上記ディスクテーブルの嵌合突起部を嵌合させ、
上記蓋体が閉蓋状態となされたときには、上記ディスクリフト板を該シャーシに近接させることにより、上記マグネットに吸引された上記チャッキングプレートと上記テーブル部とにより挟持されて上記ディスクテーブルに装着された記録ディスクより該ディスクリフト板を離間させる
ことを特徴とするディスク駆動装置。
【請求項２】
シャーシ上に移動可能に配設された一対の位置決め部材と、
上記一対の位置決め部材に係合され、これら位置決め部材の位置を、ディスクテーブルの中心軸を含む一平面について互いに対称である位置となす連結レバーとを備え、
上記各位置決め部材は、ディスクリフト板に対応する直径よりも小径の記録ディスクが該ディスクリフト板に載置されたときには、上記ディスクテーブルに接近する方向に移動され、該小径の記録ディスクの外周縁部の２箇所に当接して、この記録ディスクのチャッキング孔と該ディスクテーブルとを同心状態となしてなる請求項１記載のディスク駆動装置。
【発明の詳細な説明】
【０００１】
【発明の属する技術分野】
本発明は、いわゆる光ディスクや光磁気ディスク等の記録ディスクに対して情報の記録及び／又は再生を行うディスク駆動装置に関する。
【０００２】
【従来の技術】
従来、いわゆる光ディスクや光磁気ディスク等の記録ディスクに対して情報の記録及び／又は再生を行うディスク駆動装置が提案されている。このようなディスク駆動装置において、主としていわゆる携帯用のディスク駆動装置として構成されたものにおいては、図１５に示すように、本体部２０１に対して回動軸２０３を介して回動可能に支持された蓋体２０２を有して構成されたものがある。
【０００３】
このディスク駆動装置においては、上記本体部２０１の上面部分には、記録ディスクの径に対応した大きさの略々円形のディスク装着用凹部２０６が形成されている。そして、このディスク装着用凹部２０６の底面部には、ディスクドライブブロック１１が配設されている。
【０００４】
上記ディスクドライブブロック１１は、ディスクテーブル及び光学ピックアップ装置１３を有して構成されている。上記ディスクテーブルは、テーブル部１２とこのテーブル部１２上に突設された嵌合突起部１８とを有しており、上記ディスクドライブブロック１１に設けられた図示しないスピンドルモータにより回転操作される。上記嵌合突起部１８は、一部が外方側に臨ませられた３個の球体１９，１９，１９と、これら球体１９，１９，１９を外方側に向けて弾性付勢する弾性部材とを内蔵している。この嵌合突起部１８は、記録ディスク１０１の中央部に穿設されたチャッキング孔１０３に嵌合され得るように構成されている。また、上記光学ピックアップ装置１３は、上記記録ディスク１０１に対する情報信号の書込み及び／又は読出しが可能に構成されており、上記ディスクドライブブロック１１において、上記ディスクテーブルに対する接離方向に移動操作可能となされている。
【０００５】
上記蓋体２０２は、上記本体部２０１に対して回動操作されることにより、上記ディスク装着用凹部２０６を開閉する。この蓋体２０２は、下面部にロック片２０４を有しており、上記ディスク装着用凹部２０６を閉塞する閉蓋状態となされたときには、該ロック片２０４を上記本体部２０１に設けられた図示しないロック部材に掛合されることにより、該閉蓋状態にて保持される。そして、この蓋体２０２は、上記本体部２０１に設けられた開蓋釦２０５が押圧操作されると、上記ロック部材による上記ロック片２０４に対する掛合を解除され、上記本体部２０１に対する回動が可能となる。
【０００６】
このディスク駆動装置に上記記録ディスク１０１を装着させるには、図１５中矢印Ｓで示すように、上記蓋体２０２を上記本体部２０１より離間する方向に回動させ、この蓋体２０２を上記ディスク装着用凹部２０６を開放する開蓋状態となす。そして、上記記録ディスク１０１を上記ディスク装着用凹部２０６内に挿入し、さらに、この記録ディスク１０１を上記ディスクテーブルに対して押圧すると、この記録ディスク１０１は、上記チャッキング孔１０３に上記嵌合突起部１８が嵌合され、該チャッキング孔１０３の周囲部を上記テーブル部１２上に載置させて、該ディスクテーブルに装着される。このとき、上記各球体１９，１９，１９は、上記弾性部材の付勢力に抗して上記嵌合突起部１８の内方側に移動された後、上記チャッキング孔１０３の内側縁部を弾性的に押圧支持して、上記記録ディスク１０１の上記ディスクテーブルよりの脱落を阻止している。
【０００７】
この状態において、上記記録ディスク１０１は、上記ディスクテーブルとともに回転操作されるこのが可能であり、また、上記光学ピックアップ装置１３により情報信号の書込み及び／又は読出しが行われることが可能となされている。
【０００８】
そして、このディスク駆動装置に装着された記録ディスク１０１をこのディスク駆動装置より取り外すには、上記ディスク装着用凹部２０６の両側部に位置して形成された一対の切り欠き部２０７，２０７を介して、該記録ディスク１０１の外周縁部の２箇所を把持し、この記録ディスク１０１を上方側に引き上げる。
【０００９】
【発明が解決しようとする課題】
ところで、上述のようなディスク駆動装置において、上記記録ディスクの１０１のこのディスク駆動装置に対する装着及び取り外しを行うときには、上記蓋体２０２は、上記本体部２０１に対して充分に大きな回動角度を有して開蓋される必要がある。すなわち、上記蓋体２０２は、上記本体部２０１に対する開蓋角度が充分に大きくないと、上記ディスクテーブルに対する装着及び取り外しのためにこのディスクテーブルに対して略々垂直な方向に移動される上記記録ディスク１０１の移動を阻害してしまうからである。
【００１０】
上記記録ディスクの１０１の装着及び取り外しに際して上記蓋体２０２の開蓋角度を大きくしなければならないことは、このディスク駆動装置の携帯時における該記録ディスク１０１の交換を困難となし、このディスク駆動装置の携帯性を阻害することとなる。
【００１１】
また、上記記録ディスク１０１は、上記ディスクケーブルに対する装着及び取り外しに際して、手指等により把持されて扱われ、上記各球体１９，１９，１９を上記弾性部材の付勢力に抗して上記嵌合突起部１８の内方側に移動させることによる応力を受けるため、傷損や汚損を被る虞れが大きい。
【００１２】
そこで、本発明は、上述の実情に鑑みて提案されるものであり、蓋体を有するディスク駆動装置であって、記録ディスクの交換のために必要である該蓋体の開蓋角度が小さくなされることによって良好な携帯性を有し、また、該記録ディスクの交換に際してこの記録ディスクの傷損や汚損を防止することができるディスク駆動装置を提供することを目的とする。
【００１３】
【課題を解決するための手段】
上述の課題を解決し上記目的を達成するため、本発明に係るディスク駆動装置は、シャーシと、このシャーシ上に配設され記録ディスクの中心部のチャッキング孔の周囲部が載置されるテーブル部及びこのテーブル部上に設けられ該チャッキング孔に嵌合する嵌合突起部並びにこの嵌合突起部に内蔵されたマグネットを有しスピンドルモータにより回転操作されるディスクテーブルと、上記シャーシの一側端近傍部により一側端側を回動可能に支持され該シャーシの上面部に対して接離可能となされた蓋体と、この蓋体の下面部に回転可能に支持され上記ディスクテーブルに相対向して配設されたチャッキングプレートと、上記蓋体により一側端側を回動可能に支持されて上記シャーシと上記チャッキングプレートとの間に介在されて配設され上記記録ディスクが載置されるディスクリフト板と、上記蓋体の上記シャーシに対する回動角度に応じて上記ディスクリフト板の該蓋体に対する回動角度を規定するリンク機構とを備え、上記リンク機構は、上記蓋体が上記シャーシより離間した開蓋状態であるときには、上記ディスクリフト板を上記嵌合突起部の上端部よりも該シャーシから離間した位置においてこのシャーシに平行な状態に保持することにより、このディスクリフト板上に載置された記録ディスクを上記ディスクテーブルより離間させ、該蓋体が上記シャーシに近接する方向に回動されたときには、上記ディスクリフト板を該シャーシに平行な状態を保持したまま該シャーシに接近させることにより、該記録ディスクのチャッキング孔に上記ディスクテーブルの嵌合突起部を嵌合させ、該蓋体が閉蓋状態となされたときには、上記ディスクリフト板を該シャーシに近接させることにより、上記マグネットに吸引された上記チャッキングプレートと上記テーブル部とにより挟持されて上記ディスクテーブルに装着された記録ディスクより該ディスクリフト板を離間させてなるものである。
【００１４】
本発明に係るディスク駆動装置においては、シャーシに回動可能に支持されこのシャーシの上面部に対して接離可能となされた蓋体の下面側に回動可能に支持され該シャーシ上に配設されたディスクテーブルに相対向して配設されたディスク押圧部材の該蓋体に対する回動角度を該蓋体の該シャーシに対する回動角度に応じて規定するカム機構は、該蓋体が該シャーシより離間した開蓋状態であるときには、該ディスク押圧部材を該蓋体の下方側に突出する回動位置に保持し、該蓋体が該シャーシに近接する方向に回動されたときには、該ディスク押圧部材をして記録ディスクの中央部分を下方側に押圧せしめつつ該ディスク押圧部材を該蓋体側に回動させ該記録ディスクのチャッキング孔に該ディスクテーブルの嵌合突起部を嵌合させてこの記録ディスクを該ディスクテーブルに装着させ、該蓋体が閉蓋状態となされたときには、該ディスク押圧部材を該蓋体に近接した位置において保持することにより該ディスクテーブルに装着された記録ディスクより該ディスク押圧部材を離間させるので、上記蓋体の閉蓋動作に連動して上記記録ディスクの上記ディスクテーブルに対する装着を行い、また、該ディスクテーブルに装着された記録ディスクを回転可能な状態となす。
【００１５】
また、上記蓋体により回動可能に支持されて上記シャーシと上記ディスク押圧部材との間に介在されて配設され上記記録ディスクが載置されるディスクリフト板の該蓋体に対する回動角度を該蓋体の該シャーシに対する回動角度に応じて規定するリンク機構は、該蓋体が該シャーシより離間した開蓋状態であるときには、該ディスクリフト板を該嵌合突起部の上端部よりも該シャーシから離間した位置においてこのシャーシに平行な状態に保持することによりこのディスクリフト板上に載置された記録ディスクを該ディスクテーブルより離間させ、該蓋体が該シャーシに近接する方向に回動されたときには、該ディスクリフト板を該シャーシに平行な状態を保持したまま該シャーシに接近させることにより該記録ディスクのチャッキング孔に該ディスクテーブルの嵌合突起部が嵌合してこの記録ディスクが該ディスクテーブルに装着されることを可能となし、該蓋体が閉蓋状態となされたときには、該ディスクリフト板を該シャーシに近接させることにより該ディスクテーブルに装着された記録ディスクより該ディスクリフト板を離間させるので、上記蓋体の閉蓋動作に連動して上記記録ディスクを上記ディスクテーブルへの装着が可能な状態となすとともに、該ディスクテーブルに装着された記録ディスクを回転可能な状態となし、また、上記蓋体の開蓋動作に連動して該記録ディスクを上記ディスクテーブルより取り外す。
【００１６】
そして、本発明は、上述のディスク駆動装置において、シャーシ上に移動可能に配設された一対の位置決め部材と、上記一対の位置決め部材に係合されこれら位置決め部材の位置をディスクテーブルの中心軸を含む一平面について互いに対称である位置となす連結レバーとを設け、上記各位置決め部材は、ディスクリフト板に対応する直径よりも小径の記録ディスクが該ディスクリフト板に載置されたときには、上記ディスクテーブルに接近する方向に移動され、該小径の記録ディスクの外周縁部の２箇所に当接して、この記録ディスクのチャッキング孔と該ディスクテーブルとを同心状態となしてなるものである。
【００１７】
この場合には、上記小径の記録ディスクについても上記ディスクテーブルに対する正確な位置決めが可能となり、該小径の記録ディスクの上記蓋体の開閉動作に連動した該ディスクテーブルへの装着が可能となされる。
【００１８】
【発明の実施の形態】
以下、本発明の具体的な実施の形態を図面を参照しながら説明する。
【００１９】
本発明に係るディスク駆動装置において情報信号の記録媒体として使用される記録ディスクは、図１３及び図１４に示すように、透明な合成樹脂材料等よりなる円盤状のディスク基板に、アルミニウム等よりなる反射膜、または、磁性材料等が被着形成されて構成されている。この記録ディスクは、一方の主面部が、情報信号の記録が行われる信号記録面部となされている。図１３に示す大径記録ディスク１０１は、例えば、１２ｃｍ程度の直径を有している。また、図１４に示す小径記録ディスク１０２は、例えば、８ｃｍ程度の直径を有している。これら記録ディスク１０１，１０２は、中心部に、チャッキング孔１０３を有している。このチャッキング孔１０３は、円形の透孔であって、直径が、例えば、１５ｍｍ程度となされている。これら記録ディスク１０１，１０２においては、上記チャッキング孔１０３の周囲部分と上記ディスク基板の外周縁部近傍部とを除いた部分が、信号記録領域となっている。
【００２０】
そして、本発明に係るディスク駆動装置は、図１及び図２に示すように、シャーシ１を有して構成される。このシャーシ１は、金属等の材料により、略々平板状に形成されている。このシャーシ１は、両側縁部分に、一対の側壁部２，２を有している。これら側壁部２，２は、上記シャーシ１の両側側部分の一部が上方側に略々直角に屈折されて形成されている。このシャーシ１は、このシャーシ１に略々対応する大きさの図示しない外筺体内に配設されている。この外筺体は、上記シャーシ１の下面部を覆うように形成されており、このシャーシ１の上面部を上方側に開放させている。
【００２１】
また、上記シャーシ１には、ディスクドライブブロック１１が取付けられている。このディスクドライブブロック１１は、合成樹脂等の材料よりなる枠体部と、この枠体部に取付けられたスピンドルモータ７０及び光学ピックアップ装置１３等とを有して構成されている。上記スピンドルモータ７０の駆動軸には、ディスクテーブルが取付けられている。また、上記光学ピックアップ装置１３は、半導体レーザ等の光源、フォトダイオード等の受光素子及び種々の光学デバイスを有して、上記記録ディスク１０１，１０２に対する情報信号の書込み及び／又は読出しが可能に構成されている。この光学ピックアップ装置１３は、上記ディスクドライブブロック１１の枠体部により、図１中矢印Ｔで示すように、上記スピンドルモータ７０に対する接離方向に移動操作可能に支持されている。
【００２２】
上記ディスクドライブブロック１１は、上記シャーシ１の下面部に、３個のダンパ部材１６，１６，１６を介して取付けられ、いわゆるフローティング支持されている。すなわち、上記ディスクドライブブロック１１は、周囲部に３対の掛合爪部１５，１５，１５を有している。これら掛合爪部１５，１５，１５には、上記ダンパ部材１６，１６，１６が対応して取付けられている。そして、これらダンパ部材１６，１６，１６は、それぞれ止めネジ１７，１７，１７により、上記シャーシ１の下面部に取付けられている。上記ダンパ部材１６は、ブチルゴム等の材料により、略々円環状に形成されている。
【００２３】
上記ディスクドライブブロック１１は、上記シャーシ１に形成された開口部７を介して、上記ディスクテーブルが配設され、また、上記光学ピックアップ装置１３の光束射出側となる上面側部分を、該シャーシ１１の上方側に臨ませている。上記ディスクテーブルは、上記シャーシ１１の上面部よりも、上方側に突出されている。
【００２４】
上記ディスクテーブルは、図８に示すように、円盤状のテーブル部１２と、このテーブル部１２の上面部の中央に配設された嵌合突起部１８とを有して構成されている。上記テーブル部１２は、上記記録ディスク１０１，１０２の上記チャッキング孔１０３の周囲部分、すなわち、非信号記録領域である部分が載置され得る程度の大きさに形成されている。
【００２５】
上記嵌合突起部１８は、略々円錐台形状を有して、中空部を有して形成されている。この嵌合突起部１８内には、押圧支持手段となる３個の球体１９，１９，１９が内蔵されている。これら球体１９，１９，１９は、上記嵌合突起部１８の周面部に形成された透孔２０，２０，２０を介して、一部分を該嵌合突起部１８の周面部より外方側に突出させている。上記透孔２０，２０，２０は、上記嵌合突起部１８の中心について等角度間隔となる位置に形成されている。上記各球体１９，１９，１９は、上記嵌合突起部１８内に内蔵された弾性部材７２により、外方側方向、すなわち、図８中の矢印Ｐ及び図９中の矢印Ｑで示すように、該嵌合突起部１８の中心より離間する方向に弾性付勢されている。また、上記嵌合突起部１８は、上記各透孔２０，２０，２０の間となる位置に、押圧支持手段となる板バネ部２１，２１，２１を有している。これら板バネ部２１，２１，２１は、上記嵌合突起部１８の外壁部に設けられた３対のスリットの間の部分であって、先端側が自由端となされて形成されている。
【００２６】
上記ディスクテーブルにおいては、上記記録ディスク１０１，１０２のチャッキング孔１０３が上記嵌合突起部１８に外嵌装されると、この記録ディスク１０１，１０２は、該チャッキング孔１０３の内縁部を上記球体１９，１９，１９により押圧支持されて、いわゆるセンタリングされた状態で、上記テーブル部１２に載置されて保持され、装着される。
【００２７】
上記ディスクテーブルに装着された記録ディスク１０１，１０２は、上記スピンドルモータ７０により、該ディスクテーブルとともに回転操作される。そして、上記スピンドルモータ７０により回転操作されている記録ディスク１０１，１０２に対しては、上記光学ピックアップ装置１３は、情報信号の書込み及び／又は読出しを行うことができる。
【００２８】
そして、上記シャーシ１には、蓋体６８が回動可能に取付けられている。この蓋体６８は、合成樹脂材料等により、上記外筺体の開放された上方部分を閉蓋し得るように略々平板状に形成されている。この蓋体６８は、後縁側の両側側部分を、上記シャーシ１の側壁部２，２の後縁側に設けられた支持孔３，３により、支軸６９，６９を介して回動可能に支持されている。すなわち、この蓋体６８は、後縁側を中心として、上記シャーシ１に対して回動可能となっており、このシャーシ１に対して接離可能となされ、すなわち、このシャーシ１の上面部分を開閉可能となしている。
【００２９】
上記蓋体６８の下面部、すなわち、上記シャーシ１に対向する側には、両側側部分に、一対の枢支板５６，５６が取付けられている。これら枢支板５６，５６は、短冊状の金属板等が長手方向に沿って屈曲されて断面Ｌ字状の略々棒状の部材として形成されている。これら枢支板５６，５６は、断面のＬ字をなす一側側部分を上記蓋体６８に取付けられ、断面のＬ字をなす他側側部分を一対の枢支壁部５７，５７として該蓋体６８より垂下させている。
【００３０】
上記蓋体６８と上記シャーシ１との間には、カム機構及びリンク機構を構成する一対のリンクアーム４７，４７が、差し渡されるようにして配設されている。すなわち、これらリンクアーム４７，４７の基端側は、それぞれ、上記シャーシ１の側壁部２，２の略々中央位置に設けられた支持孔６，６に対し、支軸４８，４８を介して、対応して取付けられている。これらリンクアーム４７，４７は、上記シャーシ１に対して回動可能となっている。そして、これらリンクアーム４７，４７の先端側は、上記蓋体６８に係合されている。これらリンクアーム４７，４７の先端側には、該リンクアーム４７，４７の長手方向を長軸方向とした長穴５１，５１が形成されている。これら長穴５１，５１には、上記蓋体６８の前縁側の両側部分に設けられた支持ピン６２，６２が対応して挿通されている。これらリンクアーム４７，４７は、上記蓋体６８が上記シャーシ１に対して回動されると、基端側の支軸４８，４８を中心に回動される。このとき、上記各リンクアーム４７，４７の上記シャーシ１に対する回動角度は、上記蓋体６８の上記シャーシ１に対する回動角度よりも大きくなる。このとき、上記支持ピン６２，６２は、上記リンクアーム４７，４７に対しては、上記長穴５１，５１内において、該リンクアーム４７，４７の長手方向に移動することとなる。
【００３１】
また、上記各リンクアーム４７，４７は、上記蓋体６８の上記シャーシ１に対する回動可能角度を規制している。上記蓋体６８は、図２に示すように、上記各リンクアーム４７，４７の先端側の上記各長穴５１，５１の縁部に上記各支持ピン６２，６２を当接させた回動位置、すなわち、開蓋状態においては、上記シャーシ１より離間する方向にさらに回動することはできない。この開蓋状態において、上記蓋体６８の上記シャーシ１に対する回動角度は、２０°乃至３０°程度である。なお、上記蓋体６８は、図４に示すように、上記外筺体の上方部を閉蓋した回動位置、すなわち、閉蓋状態においては、前縁側の両側側部分を上記側壁部２，２の上端縁部に当接させて、位置決めされる。すなわち、上記蓋体６８は、上記閉蓋状態より上記開蓋状態に亘って、回動可能である。
【００３２】
上記各リンクアーム４７，４７は、上記各支軸４８，４８の近傍であってこれら支軸４８，４８の上方側となる位置に、バネ掛止孔５２，５２が設けられている。これらバネ掛止孔５２，５２と上記シャーシ１の各側壁部２，２に上記支持孔６，６よりも後方側に位置して設けられたバネ掛止孔５，５との間には、引っ張りコイルバネ５３，５３が張架されている。これら引っ張りコイルバネ５３，５３は、上記各リンクアーム４７，４７を、図２中矢印Ｕで示すように、上記シャーシ１より離間する方向、すなわち、上記蓋体６８を開蓋させる方向に、弾性的に回動付勢している。
【００３３】
なお、上記蓋体６８は、上記閉蓋状態において、上記外筺体に設けられた掛止部材に掛止されることにより、上記各引っ張りコイルバネ５３，５３の付勢力に抗して、該閉蓋状態に保持されるようになされている。そして、この蓋体６８は、上記掛止部材による掛止が解除されると、上記各引っ張りコイルバネ５３，５３の付勢力により、開蓋され、開蓋状態に保持される。
【００３４】
上記シャーシ１と上記蓋体６８との間には、ディスクリフト板４０が配設されている。このディスクリフト板４０は、薄い金属板等の材料により、略々平板状に形成されている。このディスクリフト板４０は、両側側部分が上方側に屈曲されて形成された一対の支持壁部４３，４３を有している。また、このディスクリフト板４０は、上記ディスクテーブルのテーブル部１２が挿通され得る大きさの円形の透孔４１を有している。また、このディスクリフト板４０は、上記ディスクドライブブロック１１に対応する部分、すなわち、上記光学ピックアップ装置１３の移動可能範囲に対応する部分は、切り欠き部４６となされている。この切り欠き部４６と上記透孔４１との間には、円弧状の狭梁部となっている。上記透孔４１の周囲部、すなわち、上記狭梁部を含む部分には、円環状のディスク支持突条部４２が形成されている。このディスクリフト板４０は、上記シャーシ１上に載置された場合には、上記透孔４１に上記ディスクテーブルを挿通させ、上記切り欠き部４６を介して上記ディスクドライブ部１１を上方側に臨ませる。
【００３５】
このディスクリフト板４０は、上記各支持壁部４３，４３の後縁側部分に外方側に向けて突設された一対の支軸４４，４４を、上記各枢支壁部５７，５７の後端側部分に穿設された支持孔５８，５８に嵌合させることにより、上記蓋体６８に対して回動可能に支持されている。そして、このディスクリフト板は、上記各支持壁部４３，４３の前縁側部分に穿設された一対の支軸孔４５，４５に、上記各リンクアーム４７，４７の中途部に突設された操作ピン４９，４９を嵌合させている。このディスクリフト板４０は、上記蓋体６８が上記シャーシ１に対して回動されると、該シャーシ１に対して略々平行な状態を維持したままで、該シャーシ１に対して接離する。すなわち、上記ディスクリフト板４０は、図２に示すように、上記蓋体６８が開蓋状態であるときには、上記シャーシ１上に浮上した状態となされる。このとき、このディスクリフト板４０は、上記ディスクテーブルの嵌合突起部１８の上端面部よりも上方側に位置している。そして、このディスクリフト板４０は、図４に示すように、上記蓋体６８が閉蓋状態であるときには、上記シャーシ１の上面部に前面に亘って接触された状態となされ、上記透孔４１に上記ディスクテーブルを挿通させる。
【００３６】
なお、上記シャーシ１の各側壁部２，２には、上記蓋体６８が閉蓋状態となされたときに上記各支軸４４，４４がこれら側壁部２，２に当接しないようにするため、これら支軸４４，４４に対応する位置に、略々半円形状の切り欠き部４，４が形成されている。
【００３７】
上記各リンクアーム４７，４７には、それぞれ、カム機構を構成する端面カム部５０，５０が形成されている。これら端面カム部５０，５０は、上記各リンクアーム４７，４７の略々中途部であって上記各操作ピン４９，４９よりも該各リンクアーム４７，４７の先端側寄りの位置に形成されている。これら端面カム部５０，５０は、上記各リンクアーム４７，４７の下側側、すなわち、上記シャーシ１に臨む側の側縁部に設けられた切り欠きとして形成されている。これら端面カム部５０，５０は、上記リンクアーム４７，４７の先端側、すなわち、前方側となる側において該リンクアーム４７，４７の側縁部よりの切り込み量が小さく、該リンクアーム４７，４７の基端側、すなわち、後方側となる側において該リンクアーム４７，４７の側縁部よりの切り込み量が大きくなされて形成されている。
【００３８】
上記ディスクリフト板４０と上記蓋体６８との間には、ディスク押圧部材であるディスク押圧板６３が、該蓋体６８に対して回動可能に支持されて配設されている。このディスク押圧板６３は、合成樹脂等の材料により、図７に示すように、横長の略々平板状に形成されている。このディスク押圧板６３は、中央部分に、後方側に開放された切り欠き部６７を有している。この切り欠き部６７は、上記ディスクテーブルの嵌合突起部１８が挿通され得る程度の大きさを有して形成されている。このディスク押圧板６３は、下面部の後縁部近傍であって上記切り欠き部６７の両側側となる位置に、一対のディスク押圧突起６６，６６を有している。これらディスク押圧突起６６，６６は、上記記録ディスク１０１，１０２の中央側の非信号記録領域内に対応する範囲内において形成されている。このディスク押圧板６３の両端部には、やや前方側に位置して、一対の支軸６５，６５が一体的に突設されている。また、このディスク押圧板６３の両端部には、やや後方側に位置して、一対の倣いピン６４，６４が一体的に突設されている。
【００３９】
上記ディスク押圧板６３は、上記一対の支軸６５，６５を上記各枢支壁部５７，５７の中途部分のやや前端側部分に穿設された支持孔６１，６１に嵌合させることにより、上記蓋体６８に対して回動可能に支持されている。すなわち、このディスク押圧板６３は、前縁側を中心とし、後縁側を上記蓋体６８に対して接離させるように、回動可能となされている。このディスク押圧板６３の上記蓋体６８に対する回動可能範囲は、後縁部が該蓋体６８の下面部に当接する回動位置より、後縁側を該蓋体６８より下方側に離間させ上記各枢支壁部５７，５７に形成された回動規制突起６０，６０により回動を規制される回動位置までである。
【００４０】
上記各倣いピン６４，６４は、上記各リンクアーム４７，４７の下方側に位置され、上記端面カム部５０，５０に対向している。これら倣いピン６４，６４と上記各リンクアーム４７，４７の先端側に形成されたバネ掛止部５４，５４との間には、引っ張りコイルバネであるトグルバネ５５，５５が張架されている。これらトグルバネ５５，５５は、上記蓋体６８と上記ディスク押圧板６３との相対的回動位置に応じて、該ディスク押圧板６３を異なる方向に回動付勢する。すなわち、上記蓋体６８が開蓋状態であって上記ディスク押圧板６３の後縁側が該蓋体６８より所定角度以上に離間している状態においては、上記トグルバネ５５，５５は、図２中矢印Ｖで示すように、該ディスク押圧板６３の後縁側を該蓋体６８より離間させる方向に回動付勢する。そして、このトグルバネ５５，５５は、上記蓋体６８が閉蓋状態であって上記ディスク押圧板６３の後縁側が該蓋体６８に略々当接した状態においては、図４中矢印Ｗで示すように、該ディスク押圧板６３の後縁側を該蓋体６８に圧接させる方向に回動付勢する。
【００４１】
ところで、上記ディスク押圧板６３は、上記各倣いピン６４，６４が上記端面カム部５０，５０に当接した状態においては、これら倣いピン６４，６４を上記蓋体６８に接近させる方向の回動が規制される。
【００４２】
上記各倣いピン６４，６４は、上記蓋体６８が開蓋状態であるときには、図２に示すように、上記各リンクアーム４７，４７が上記蓋体６８の下方側に回動された状態となっているため、上記端面カム部５０，５０の前方側部分に当接される。したがって、このとき、上記ディスク押圧板６３は、上記各端面カム部５０，５０により、上記蓋体６８の下方側に突出した状態となる該蓋体６８に対する回動位置に保持される。
【００４３】
そして、上記各倣いピン６４，６４は、上記蓋体６８が閉蓋状態であるときには、図４に示すように、上記各リンクアーム４７，４７が上記蓋体６８の側部に沿った状態となるため、上記端面カム部５０，５０の後方側部分に対向する。したがって、このとき、上記ディスク押圧板６３は、後縁側を上記蓋体６８に当接させる状態まで回動されることが可能となっている。また、このとき、上記各トグルバネ５５，５５が上記ディスク押圧板６３の後縁側が上方に向かう方向にこのディスク押圧板６３を回動付勢するため、このディスク押圧板６３は、後縁部を上記蓋体６８に当接させた状態に位置決めされる。
【００４４】
上記シャーシ１上の後方側部分には、図５及び図６に示すように、位置決め部材となる一対の位置決めアーム３０，３４が、両側側に振り分けられて配設されている。これら位置決めアーム３０，３４は、それぞれ、上記シャーシ１の上面部に垂設された支軸２９，３３により略々中途部を支持され、該シャーシ１に対して回動可能となされている。これら位置決めアーム３０，３４を支持する上記各支軸２９，３３は、上記大径記録ディスク１０１が上記ディスクテーブル上に装着されたときに、この大径記録ディスク１０１の周縁部よりも後方側となってこの大径記録ディスク１０１に当接しない位置に配設されている。これら各位置決めアーム３０，３４は、先端側を略々前方側に向け、基端側を略々後方側に向けている。
【００４５】
また、上記各位置決めアーム３０，３４は、上記各支軸２９，３３に対し、軸方向に摺動可能となされている。そして、これら位置決めアーム３０，３４は、上記各支軸２９，３３に外嵌装されこれら位置決めアーム３０，３４と上記シャーシ１との間に介在された圧縮コイルバネ３８，３９により、図２中に矢印Ｃで示すように、上方側に弾性付勢され、上記蓋体６８の下面部に当接して位置決めされている。したがって、これら位置決めアーム３０，３４は、上記蓋体６８の開閉動作に連動して、上記シャーシ１に対する接離方向に移動される。
【００４６】
上記各位置決めアーム３０，３４の先端側には、ディスク当接部３１，３５が形成されている。これらディスク当接部３１，３５は、上記各位置決めアーム３０，３５に一体的に、略々円柱形状を有して形成されている。これらディスク当接部３１，３５は、上記蓋体６８の開閉に連動して上記シャーシ１に対する接離方向に移動されることにより、該シャーシ１よりの高さが、上記ディスクリフト板４０と略々同一となされる。
【００４７】
そして、上記シャーシ１上には、上記各位置決めアーム３０，３４の配設位置間に亘るようにして、連結レバー２２が配設されている。この連設レバー２２は、長手方向に配列された一対の長孔２３，２４を有しており、これら長孔２３，２４に上記シャーシ上に植設された一対の２７，２８を挿通されることにより、該シャーシ１上において横方向にスライド可能となされて支持されている。この連結レバー２２の一端側及び他端側には、一対の係合孔２５，２６が設けられている。上記連結レバー２２の一端側の係合孔２５は、一方の位置決めアーム３０の先端側部分に突設された係合ピン３２に係合している。また、上記連結レバー２２の他端側の係合孔２６は、他方の位置決めアーム３４の基端側部分に突設された係合ピン３６に係合している。
【００４８】
したがって、図５中に矢印Ｊで示すように、上記連結アーム２２が一方側にスライドされると、上記一方の位置決めアーム３０は、図５中矢印Ｌで示すように、先端側を外方側となす方向に回動され、また、上記他方の位置決めアーム３４も、図５中矢印Ｋで示すように、先端側を外方側となす方向に回動される。そして、図６中に矢印Ｍで示すように、上記連結アーム２２が他方側にスライドされると、上記一方の位置決めアーム３０は、図６中矢印Ｎで示すように、先端側を内方側となす方向に回動され、また、上記他方の位置決めアーム３４も、図６中矢印Ｏで示すように、先端側を外方側となす方向に回動される。すなわち、上記連結アーム２２は、上記各位置決めアーム３０，３４を、上記ディスクテーブルの回転中心軸を含む一平面について互いに対称である回動位置となす。
【００４９】
上述のように構成された本発明に係るディスク駆動装置に対し、上記大径記録ディスク１０１を装着するには、まず、図５に示すように、上記連結レバー２２を一方側にスライドさせ、上記各位置決めレバー３０，３４を互いの先端側を離間させる方向に回動させておく。次に、上記蓋体６８を、図２に示すように、開蓋状態となす。そして、上記大径記録ディスク１０１を、図２中矢印Ａで示すように、前方側より上記ディスクリフト板４０と上記ディスク押圧板６３との間に挿入し、該ディスクリフト板４０上に載置させる。このとき、上記各位置決めアーム３０，３４は、図５に示すように、上記各ディスク当接部３１，３５を上記大径記録ディスク１０１の外周縁部の２箇所に当接させて、この大径記録ディスク１０１のチャッキング孔１０３と上記ディスクテーブルの嵌合突起部１８とが同心状態となるように、該大径記録ディスク１０１を位置決めする。このとき、上記大径記録ディスク１０１は、中心側の非信号記録領域を上記ディスク支持突条部４２により当接支持される。
【００５０】
また、このディスク駆動装置に対し、上記小径記録ディスク１０２を装着するには、まず、図６に示すように、上記連結レバー２２を他方側にスライドさせ、上記各位置決めレバー３０，３４を互いの先端側を接近させる方向に回動させておく。次に、上記蓋体６８を、図２に示すように、開蓋状態となす。そして、上記小径記録ディスク１０２を、図２中矢印Ａで示すように、前方側より上記ディスクリフト板４０と上記ディスク押圧板６３との間に挿入し、該ディスクリフト板４０上に載置させる。このとき、上記各位置決めアーム３０，３４は、図６に示すように、上記各ディスク当接部３１，３５を上記小径記録ディスク１０２の外周縁部の２箇所に当接させて、この小径記録ディスク１０２のチャッキング孔１０３と上記ディスクテーブルの嵌合突起部１８とが同心状態となるように、該小径記録ディスク１０２を位置決めする。このとき、上記小径記録ディスク１０２は、中心側の非信号記録領域を上記ディスク支持突条部４２により当接支持される。
【００５１】
そして、図３において矢印Ｅで示すように、上記蓋体６８を閉蓋方向に回動させると、上記ディスク押圧板６３は、上記リンクアーム４７，４７の上記端面カム部５０，５０によって該蓋体６８に対する回動が規制されているため、上記ディスク押圧突起６６，６６により、上記大径または小径記録ディスク１０１，１０２の中心側の非信号記録領域を上面側より押圧する。また、このとき、上記ディスクリフト板４０は、上記シャーシ１に接近する方向に移動される。上記各位置決めアーム３０，３４は、上記蓋体６８に押圧されて、図３中矢印Ｆで示すように、上記シャーシ１に接近する方向に、上記ディスクリフト板４０に追従するようにして移動される。
【００５２】
上記ディスク押圧板６３により押圧された上記大径または小径記録ディスク１０１，１０２は、上記チャッキング孔１０３に上記嵌合突起部１８を嵌合させる。この嵌合突起部１８に内蔵された上記各球体１９，１９，１９は、上記チャッキング孔１０３の内壁部を押圧支持する。この記録ディスク１０１，１０２は、上記蓋体６８が閉蓋状態となる前に、上記ディスク押圧板４０に押圧されることによって、上記チャッキング孔１０３の周囲部を上記テーブル部１２の上面部に当接させる装着状態となされる。
【００５３】
上記蓋体６８が、図４中に矢印Ｇで示すように、上記シャーシ１側に回動されて閉蓋状態となされると、上記大径または小径記録ディスク１０１，１０２は、図４に示すように、上記ディスクテーブルに既に装着されている。このとき、上記ディスクリフト板４０は、上記シャーシ１の上面部に略々当接する状態となされて、該記録ディスク１０１，１０２より離間する。また、上記各位置決めアーム３０，３４は、図４中矢印Ｉで示すように、上記シャーシ１側に移動されるが、上記ディスクテーブルよりもやや高い位置で停止し、該ディスクテーブルに装着された記録ディスク１０１，１０２より上記各ディスク当接部３１，３５を離間させる。そして、上記ディスク押圧板６３は、上記端面カム５０，５０及び上記各トグルバネ５５，５５により、図４中矢印Ｗで示すように、後縁側を上記蓋体６８側となす方向に回動されて、上記記録ディスク１０１，１０２より離間する。
【００５４】
この状態において、上記スピンドルモータ７０は、上記大径または小径記録ディスク１０１，１０２を回転操作することが可能となっている。また、上記光学ピックアップ装置１３は、上記スピンドルモータ７０によって回転操作される記録ディスク１０１，１０２に対して、情報信号の書込み及び／又は読出しを行うことが可能となっている。
【００５５】
そして、このディスク駆動装置より、装着された大径または小径記録ディスク１０１，１０２を取出すには、まず、図４中に矢印Ｈで示すように、上記蓋体６８を開蓋方向に回動させる。上記蓋体６８が開蓋方向に回動されることにより、上記ディスクリフト板４０は、上記シャーシ１より離間する上方側に移動し、上記ディスクテーブルに装着されていた記録ディスク１０１，１０２を、該ディスクテーブルより取り外して上方側に浮上させる。また、上記ディスク押圧板６３は、上記各端面カム部５０，５０により、後縁側を上記蓋体６８より離間させる方向に回動され、上記各トグルバネ５５，５５により、図３中に矢印Ｖで示すように、後縁側を上記蓋体６８より離間させる方向に回動付勢される。このディスク押圧板６３は、上記記録ディスク１０１，１０２を、上記ディスクリフト板４０に対して押圧支持する。
【００５６】
上記蓋体６８が、図３中矢印Ｄで示すように、さらに開蓋方向に回動され、図２に示すように開蓋状態となされると、上記記録ディスク１０１，１０２は、上記ディスクリフト板４０上に載置されており、上記ディスク押圧板４０がこの記録ディスク１０１，１０２より離間することにより、図２中矢印Ｂで示すように、このディスク駆動装置より取出すことが可能となされる。
【００５７】
なお、本発明に係るディスク駆動装置においては、上記カム機構は、上述の実施の形態中に示した如く、上記各端面カム５０，５０、上記各倣いピン６４，６４及び上記各トグルバネ５５，５５により構成されるものに限定されず、図１１に示すように、上記各端面カム５０，５０、上記各倣いピン６４，６４及び捩じりコイルバネ７３により構成されるものとしてもよい。この捩じりコイルバネ７３は、上記ディスク押圧板６３を支持する支軸６５にコイル部を巻回させて取付けられ、各アーム部を上記蓋体６８及び該ディスク押圧板６３に当接させており、このディスク押圧板６３を、図１１中矢印Ｘで示すように、上記各倣いピン６４，６４が上記各端面カム５０，５０に押接される方向に回動付勢している。
【００５８】
このようなカム機構においては、上記蓋体６８に対して上記各リンクアーム４７，４７が回動されたとき、上記ディスク押圧板６３は、常に、上記各倣いピン６４，６４を上記各端面カム部５０，５０に接触させる回動角度位置となる。すなわち、このディスク押圧板６３は、上述した実施の形態中のディスク押圧板６３と同様に、上記蓋体６８開閉動作に連動して、該蓋体６８に対して回動される。そして、このディスク押圧板６３は、上記蓋体６８が閉蓋されるときには、上記記録ディスク１０１，１０２を押圧して上記ディスクテーブルに装着させ、該蓋体６８が閉蓋状態となされたときには、該記録ディスク１０１，１０２より離間する。
【００５９】
さらに、本発明に係るディスク駆動装置においては、上記カム機構は、上述の各実施の形態中に示したものに限定されず、図１２に示すように、上記各リンクアーム４７，４７に形成された一対の溝カム７４，７４及び上記各倣いピン６４，６４により構成されるものとしてもよい。
【００６０】
上記一対の溝カム７４，７４は、上記各倣いピン６４，６４が対応して挿通されており、上記蓋体６８に対する上記各リンクアーム４７，４７の回動角度位置に応じて、上記ディスク押圧板６３の該蓋体６８に対する回動角度位置が一義的に決まるような形状を有している。すなわち、このディスク押圧板６３は、上述した各実施の形態中のディスク押圧板６３と同様に、上記蓋体６８開閉動作に連動して、該蓋体６８に対して回動されるようになされている。そして、このディスク押圧板６３は、上記蓋体６８が閉蓋されるときには、上記記録ディスク１０１，１０２を押圧して上記ディスクテーブルに装着させ、該蓋体６８が閉蓋状態となされたときには、該記録ディスク１０１，１０２より離間する。
【００６１】
そして、本発明に係るディスク駆動装置は、上述の各実施の形態に示した如く、上記球体１９，１９，１９を内蔵した嵌合突起部１８を有するディスクテーブルを備えた構成に限定されることなく、図１０に示すように、マグネット８４を内蔵したディスクテーブルと、上記蓋体６８に回転可能に支持されたチャッキングプレート７７とを有する構成としてもよい。
【００６２】
このディスク駆動装置におけるディスクテーブルは、上記スピンドルモータ７０の駆動軸７１に取付けられるテーブル部８０と、このテーブル部８０に支持されるセンタリング部材８２と、このテーブル部８０に内蔵されるマグネット８４とを有して構成される。上記テーブル部８０は、略々円盤状の部材として形成され、中心部の下面側に上記駆動軸７１が嵌合される取付け孔７３を有し、上面側の周辺部がフランジ状のディスク載置部８１となされている。上記センタリング部材８２は、略々円環状に形成され、上記テーブル部８０により上記駆動軸７１の軸方向に移動可能に支持されている。このセンタリング部材８２は、外周面部が略々円錐面状となされた上方側部分を上記ディスク載置部８１よりも上方側に突出させている。また、このセンタリング部材８２は、このセンタリング部材８２と上記テーブル部８０との間に介在配設された圧縮コイルバネ８３により、上方側、すなわち、上記駆動軸７１の先端側方向に付勢されている。上記マグネット８４は、略々円盤状に形成され、上記テーブル部８０の上端面側に内蔵され、上方側に臨んでいる。
【００６３】
上記チャッキングプレート７７は、軸部と、この軸部の上方側に設けられたフランジ部７８と、該軸部の下方側に設けられた略々円盤状のチャッキングプレート部７９とを有して構成されている。このチャッキングプレート７７は、上記フランジ部７８を、上記蓋体６８の下面部に取付けられた支持部材７５により回転可能に支持され、上記チャッキングプレート部７９を該蓋体６８の下面側に垂下させている。上記チャッキングプレート部７９は、鉄、ステンレス等の如き、マグネットにより吸引される材料により形成されている。上記支持部材７５は、略々円盤状の部材であって、周縁部を上記蓋体６８の下面部に取付けられ、中央部の透孔７６に上記チャッキングプレート７７の軸部を挿通させている。
【００６４】
このようなディスクテーブル及びチャッキングプレート７７を有して構成されたディスク駆動装置においては、上記ディスク押圧板６３を設ける必要がない。したがって、上記各端面カム部５０，５０及び各トグルバネ５５，５５も設けられない。
【００６５】
このディスク駆動装置においては、上記ディスクリフト板４０上に載置され、上記各位置決めアーム３０，３４により位置決めされた大径または小径記録ディスク１０１，１０２は、上記蓋体６８が閉蓋状態となされると、上記チャッキング孔１０３に上記センタリング部材８２を挿入されてセンタリングされるとともに、図１０中矢印Ｒで示す上記マグネット８４による上記チャッキングプレート７７に対する吸引力によって、上記ディスク載置部８１と上記チャッキングプレート部７９によって挟持される。このとき、上記チャッキングプレート７７の軸部及びフランジ部７８は、上記蓋体６８及び上記支持部材７５に当接することなく、回転可能な状態となされいる。また、上記ディスクリフト板４０は、上記記録ディスク１０１，１０２が上記ディスク載置部８１に載置された後、上記シャーシ１側に移動して、該記録ディスク１０１，１０２より離間する。
【００６６】
この状態において、上記スピンドルモータ７０は、上記大径または小径記録ディスク１０１，１０２を回転操作することが可能となっている。また、上記光学ピックアップ装置１３は、上記スピンドルモータ７０によって回転操作される記録ディスク１０１，１０２に対して、情報信号の書込み及び／又は読出しを行うことが可能となっている。
【００６７】
このディスク駆動装置において、上記蓋体６８が開蓋されると、上記ディスク載置部８１に載置されていた記録ディスク１０１，１０２は、上記ディスクリフト板４０が上方側に移動することにより、このディスクリフト板４０上に載置されて上方側に浮上される。
【００６８】
【発明の効果】
上述のように、本発明に係るディスク駆動装置においては、シャーシに回動可能に支持されこのシャーシの上面部に対して接離可能となされた蓋体の下面側に回動可能に支持され該シャーシ上に配設されたディスクテーブルに相対向して配設されたディスク押圧部材の該蓋体に対する回動角度を該蓋体の該シャーシに対する回動角度に応じて規定するカム機構は、該蓋体が該シャーシより離間した開蓋状態であるときには、該ディスク押圧部材を該蓋体の下方側に突出する回動位置に保持し、該蓋体が該シャーシに近接する方向に回動されたときには、該ディスク押圧部材をして記録ディスクの中央部分を下方側に押圧せしめつつ該ディスク押圧部材を該蓋体側に回動させ該記録ディスクのチャッキング孔に該ディスクテーブルの嵌合突起部を嵌合させてこの記録ディスクを該ディスクテーブルに装着させ、該蓋体が閉蓋状態となされたときには、該ディスク押圧部材を該蓋体に近接した位置において保持することにより該ディスクテーブルに装着された記録ディスクより該ディスク押圧部材を離間させる。
【００６９】
したがって、本発明に係るディスク駆動装置においては、上記カム機構は、上記蓋体の閉蓋動作に連動して上記記録ディスクの上記ディスクテーブルに対する装着を行い、また、該ディスクテーブルに装着された記録ディスクを回転可能な状態となす。
【００７０】
また、本発明に係るディスク駆動装置においては、上記蓋体により回動可能に支持されて上記シャーシと上記ディスク押圧部材との間に介在されて配設され上記記録ディスクが載置されるディスクリフト板の該蓋体に対する回動角度を該蓋体の該シャーシに対する回動角度に応じて規定するリンク機構は、該蓋体が該シャーシより離間した開蓋状態であるときには、該ディスクリフト板を該嵌合突起部の上端部よりも該シャーシから離間した位置においてこのシャーシに平行な状態に保持することによりこのディスクリフト板上に載置された記録ディスクを該ディスクテーブルより離間させ、該蓋体が該シャーシに近接する方向に回動されたときには、該ディスクリフト板を該シャーシに平行な状態を保持したまま該シャーシに接近させることにより該記録ディスクのチャッキング孔に該ディスクテーブルの嵌合突起部が嵌合してこの記録ディスクが該ディスクテーブルに装着されることを可能となし、該蓋体が閉蓋状態となされたときには、該ディスクリフト板を該シャーシに近接させることにより該ディスクテーブルに装着された記録ディスクより該ディスクリフト板を離間させる。
【００７１】
したがって、本発明に係るディスク駆動装置においては、上記リンク機構は、上記蓋体の閉蓋動作に連動して上記記録ディスクを上記ディスクテーブルへの装着が可能な状態となすとともに、該ディスクテーブルに装着された記録ディスクを回転可能な状態となし、また、上記蓋体の開蓋動作に連動して該記録ディスクを上記ディスクテーブルより取り外す。
【００７２】
すなわち、本発明に係るディスク駆動装置においては、上記蓋体がこの蓋体と上記ディスクリフト板との間に上記記録ディスクが挿入可能な程度の角度まで開蓋されれば、該記録ディスクの上記ディスクテーブルへの着脱が可能となされる。
【００７３】
そして、このディスク駆動装置において、上記記録ディスクの上記ディスクテーブルへの装着にあたっては、この記録ディスクを直接に手指等により押圧することがないので、この記録ディスクの傷損、汚損の虞れがない。
【００７４】
そして、本発明に係る各ディスク駆動装置において、上記シャーシ上に移動可能に配設された一対の位置決め部材と、この一対の位置決め部材に係合されこれら位置決め部材の位置を上記ディスクテーブルの中心軸を含む一平面について互いに対称である位置となす連結レバーとを設け、該各位置決め部材は、上記ディスクリフト板に対応する直径よりも小径の記録ディスクが該ディスクリフト板に載置されたときには、上記ディスクテーブルに接近する方向に移動され該小径の記録ディスクの外周縁部の２箇所に当接してこの記録ディスクのチャッキング孔と該ディスクテーブルとを同心状態となすこととした場合には、上記小径の記録ディスクについても上記ディスクテーブルに対する正確な位置決めが可能となり、該小径の記録ディスクの上記蓋体の開閉動作に連動した該ディスクテーブルへの装着が可能となされる。
【００７５】
すなわち、本発明は、蓋体を有するディスク駆動装置であって、記録ディスクの交換のために必要である該蓋体の開蓋角度が小さくなされることによって良好な携帯性を有し、また、該記録ディスクの交換に際してこの記録ディスクの傷損や汚損を防止することができるディスク駆動装置を提供することができるものである。
【図面の簡単な説明】
【図１】本発明に係るディスク駆動装置の要部の構成を示す分解斜視図である。
【図２】上記ディスク駆動装置の開蓋状態における要部の構成を示す側面図である。
【図３】上記ディスク駆動装置の開蓋操作または閉蓋操作の途中の状態における要部の構成を示す側面図である。
【図４】上記ディスク駆動装置の閉蓋状態における要部の構成を示す側面図である。
【図５】上記ディスク駆動装置において大径の記録ディスクが装着された状態を示す要部平面図である。
【図６】上記ディスク駆動装置において小径の記録ディスクが装着された状態を示す要部平面図である。
【図７】上記ディスク駆動装置を構成するディスク押圧板の形状を示す拡大斜視図である。
【図８】上記ディスク駆動装置を構成するディスクテーブルの形状を示す拡大斜視図である。
【図９】上記図８に示したディスクテーブルの構成を示す縦断面図である。
【図１０】上記ディスク駆動装置を構成するディスクテーブルの形状の他の例を示す縦断面図である。
【図１１】上記ディスク駆動装置を構成するリンク機構及びカム機構の構成の他の例を示す側面図である。
【図１２】上記ディスク駆動装置を構成するリンク機構及びカム機構の構成のさらに他の例を示す側面図である。
【図１３】上記ディスク駆動装置に装着され得る大径の記録ディスクの形状を示す斜視図である。
【図１４】上記ディスク駆動装置に装着され得る小径の記録ディスクの形状を示す斜視図である。
【図１５】従来のディスク駆動装置の構成を示す斜視図である。
【符号の説明】
１  シャーシ、１２  テーブル部、１８  嵌合突起部、２２  連結レバー、３０，３４  一対の位置決めアーム、４０  ディスクリフト板、４７  リンクアーム、５０  端面カム部、６３  ディスク押圧板、６４  倣いピン、６８  蓋体、７０  スピンドルモータ、７９  チャッキングプレート、８４  マグネット、１０１  大径記録ディスク、１０２  小径記録ディスク、１０３  チャッキング孔
【図１】
0003678189.tif 000002
【図２】
0003678189.tif 000003
【図３】
0003678189.tif 000004
【図４】
0003678189.tif 000005
【図５】
0003678189.tif 000006
【図６】
0003678189.tif 000007
【図７】
0003678189.tif 000008
【図８】
0003678189.tif 000009
【図９】
0003678189.tif 000010
【図１０】
0003678189.tif 000011
【図１１】
0003678189.tif 000012
【図１２】
0003678189.tif 000013
【図１３】
0003678189.tif 000014
【図１４】
0003678189.tif 000015
【図１５】
0003678189.tif 000016